(57)【特許請求の範囲】
【請求項１】
複数の光学部材を識別するための当該複数の光学部材に対応した複数の種別表示部材を用いた顕微鏡の光学部材切換装置であって、
前記複数の光学部材を装着する装着部を有する可動部材と、
前記顕微鏡の光路に対し前記複数の光学部材を選択的に挿脱するために前記可動部材を直線移動可能、または回転可能に支持する本体と、
前記光学部材が前記顕微鏡の光路に正しく位置するように前記可動部材を位置決めする位置決め機構と、
前記複数の種別表示部材を、前記可動部材の直線移動方向、または回転方向に沿って互いに近接して取り付けるために前記本体に設けられた表示部材取付部と、
前記可動部材のそれぞれの前記装着部に対応して配置されて、顕微鏡の光路に挿入された前記光学部材に対応する前記種別表示部材を指示するために、前記可動部材における前記光学部材の各装着部位に対応して当該装着部位の中心からの位置が互いに異なるように設けられた複数の指標と、
を具備したことを特徴とする光学部材切換装置。
【請求項２】
複数の光学部材を識別するための当該複数の光学部材に対応した複数の種別表示部材を用いた顕微鏡の光学部材切換装置であって、
前記複数の光学部材を装着する装着部を有する可動部材と、
前記顕微鏡の光路に対し前記複数の光学部材を選択的に挿脱するために前記可動部材を直線移動可能、または回転可能に支持する本体と、
前記光学部材が前記顕微鏡の光路に正しく位置するように前記可動部材を位置決めする位置決め機構と、
前記複数の種別表示部材を、前記可動部材の直線移動方向、または回転方向に沿って互いに近接して取り付けるために前記本体に設けられた表示部材取付部と、
前記可動部材のそれぞれの装着部に対応して配置されて、顕微鏡の光路に挿入された前記光学部材に対応する前記種別表示部材を指示するために、対応するそれぞれの光学部材の装着部位の中心に対する位置が、前記表示部材取付部における種別表示部材の間隔分または角度分だけ互いにずれているように設けられた複数の指標と、
を具備したことを特徴とする光学部材切換装置。
【請求項３】
光学機器の複数の光学部材を切り換えるための光学部材切換装置であって、
複数の光学部材を装着する装着部を有する可動部材と、
前記複数の光学部材を光学機器の光路に対して選択的に挿脱させるために前記可動部材を移動可能に支持する本体と、
前記複数の光学部材の一つが前記光路に正しく位置するように前記可動部材を位置決めする位置決め機構と、
前記複数の光学部材の種別を表示する種別表示部材と、
前記光路に挿入された前記複数の光学部材の一つの種別を指示するために、前記可動部材における前記光学部材の各装着部位に対応して当該装着部位の中心からの位置が互いに異なるように設けられた複数の指標と、
を具備したことを特徴とする光学部材切換装置。
【請求項４】
前記複数の指標は、それぞれの指標が指示する位置と対応する種別表示部材とを関連付けるマーキングを含むことを特徴とする請求項１乃至請求項３のうち何れか一つに記載の光学部材切換装置。
【請求項５】
前記位置決め機構はクリック機構であり、
前記本体に設けられた固定側指標と、
前記クリック機構により前記可動部材が位置決めされたときに前記固定側指標と合致するように、前記可動部材に設けられた移動側指標と、
を含むことを特徴とする請求項１乃至請求項３のうち何れか一つに記載の光学部材切換装置。
【請求項６】
前記種別表示部材は、光学部材の名称が記載されたネームプレートであることを特徴とする請求項１乃至請求項３のうち何れか一つに記載の光学部材切換装置。
【発明の詳細な説明】
【０００１】
【発明の属する技術分野】
本発明は、異なる光学部材を切換えて使用する、たとえば蛍光顕微鏡、位相差顕微鏡等の光学装置に用いる光学部材切換え装置に関する。
【０００２】
【従来の技術】
一般に蛍光顕微鏡は特定の波長の波長域の光を励起光として試料に照射し、試料から発せられる励起光より長波長な蛍光を観察するものである。蛍光顕微鏡の構成を図１９を用いて説明する。光源１８からの光は光路１６を進み、励起フィルター１７で選択された波長の光のみ透過される。
【０００３】
そして短波長の光を反射し、長波長の光を透過させる特性を持つダイクロイックミラー１２にて、光を顕微鏡光路１３に反射する。反射された光は対物レンズ１４にて標本１５を励起し、標本１５からは蛍光が発せられる。対物レンズ１４で取り込まれた蛍光はダイクロイックミラー１２を透過し、バリアフィルター１１にて余分な励起光を吸収し蛍光のみが一次像面１０に結像され観察される。一般に励起フィルター、ダイクロイックミラー、バリアフィルターはフィルターカセット１９として、使用される試薬の特性ごとに用意され、光学部材切換え装置にて観察目的に合わせ切換えて使用される。
【０００４】
また位相差顕微鏡とは、周囲と色や濃度の変化がなく、明視野観察では観察できない標本を観察する際に、標本のもつ位相情報を、光の干渉を利用し明暗の差に変換して観察する顕微鏡である。位相差顕微鏡の構成を図２０を用いて説明する。コンデンサレンズ２３の前側焦点位置で顕微鏡の光路１３に対し環状に配置したリングスリット２４を通過した光は標本２２を照明し対物レンズ２１の後側焦点面の位相リング２０に結像する。
【０００５】
位相リング２０を透過した光は１／４波長位相が変化し、１次像面２５に至る。また、標本にて回折された１次光は対物レンズ２１の後側焦点面では全体に分布しているため、位相板の影響は受けずに１次像面２５に結像する。そのため標本による回折により位相が１／４波長異なる１次光と直接光が干渉するため、明暗の差として観察されることになる。一般にリングスリット２４は対物レンズの開口数より決定されるため、対物レンズの種別に合わせリングスリットを切換えて使用される。リングスリットはコンデンサに備わる光学部材切換え装置により切換えられる。
【０００６】
そのため、光学部材切換え装置では装着した光学部材の種別を表示する手段が必要であった。
【０００７】
例えば実開平2-107109（図２１参照）では、光学部材切換え装置本体４６に装着した光学部材の種別を表す種別表示部材４７と、光学部材切換え装置本体４６に設けた凹部４８の両者のうち、一方を磁石、一方を磁性体で構成した。そのため光学部材の装・脱着に合わせ、種別表示部材４７を容易に取換え可能である。
そのため現在光路１３に位置決めされている可動部材の位置表示４５と種別表示部材４７の二つを見て、表示内容を関連づけて考えることで、現在光路１３に位置決めされた光学部材の種別、切換えの際切換え先の光学部材の位置を、認識できた。しかし二つの表示部では、取付け光学部材の種別、切換え目的先の光学部材の位置を直接認識することができない問題がある。
【０００８】
そのため、特開平8-338947（図２２参照）では、光学部材であるフィルタカセットの前面にフィルタの種別が判別できる表示部２８を設け、蛍光装置本体２６の操作面には、装着可能なフィルタカセットが移動可能な範囲全ての位置で前記表示部２８ａ〜２８ｄが露出可能な開口２７ａ〜２７ｇを設けた。そのためフィルタカセットを蛍光装置本体に装着するだけで、装着された全てのフィルタカセットの表示部２８ａ〜２８ｄが開口２７ａ〜２７ｇより露出するため、顕微鏡光路１３に位置決めされているフィルタカセットの種別、切換えの際切換え先のフィルタカセットの位置が一つの表示で認識でき、切換え操作方向と送り量が直接的に判断できた。
【０００９】
【発明が解決しようとする課題】
しかしながら、従来の技術で高輝度の光源を利用する蛍光顕微鏡では、開口部よりの漏光を完全に防止する必要があるため、多くの開口を設けることは構造を複雑にする欠点を有した。また切換え機構として構造が簡単で多くの光学部材切換え装置に用いられている回動式には適用できない欠点があった。
【００１０】
本発明はこのような事情に鑑みてなされたもので、その課題は、簡単な構成で、装着されている光学部材の種別を全て表示し、現在光路中にある光学部材の種別と、切換え目的先の光学部材の位置を一つの表示で直接認識できることで操作性を向上させた、光学部材切換え装置を提供することである。
【００１１】
【課題を解決するための手段】
本発明は上記目的を達成するため、以下の構成を備えるものとした。
【００１２】
本発明の第１の態様による光学部材切換装置は、複数の光学部材を識別するための当該複数の光学部材に対応した複数の種別表示部材を用いた顕微鏡の光学部材切換装置であって、前記複数の光学部材を装着する装着部を有する可動部材と、前記顕微鏡の光路に対し前記複数の光学部材を選択的に挿脱するために前記可動部材を直線移動可能、または回転可能に支持する本体と、前記光学部材が前記顕微鏡の光路に正しく位置するように前記可動部材を位置決めする位置決め機構と、前記複数の種別表示部材を、前記可動部材の直線移動方向、または回転方向に沿って互いに近接して取り付けるために前記本体に設けられた表示部材取付部と、前記可動部材のそれぞれの前記装着部に対応して配置されて、顕微鏡の光路に挿入された前記光学部材に対応する前記種別表示部材を指示するために、前記可動部材における前記光学部材の各装着部位に対応して当該装着部位の中心からの位置が互いに異なるように設けられた複数の指標と、を具備したことを特徴とする。
【００１３】
本発明の第２の態様による光学部材切換装置は、複数の光学部材を識別するための当該複数の光学部材に対応した複数の種別表示部材を用いた顕微鏡の光学部材切換装置であって、前記複数の光学部材を装着する装着部を有する可動部材と、前記顕微鏡の光路に対し前記複数の光学部材を選択的に挿脱するために前記可動部材を直線移動可能、または回転可能に支持する本体と、前記光学部材が前記顕微鏡の光路に正しく位置するように前記可動部材を位置決めする位置決め機構と、前記複数の種別表示部材を、前記可動部材の直線移動方向、または回転方向に沿って互いに近接して取り付けるために前記本体に設けられた表示部材取付部と、前記可動部材のそれぞれの装着部に対応して配置されて、顕微鏡の光路に挿入された前記光学部材に対応する前記種別表示部材を指示するために、対応するそれぞれの光学部材の装着部位の中心に対する位置が、前記表示部材取付部における種別表示部材の間隔分または角度分だけ互いにずれているように設けられた複数の指標と、を具備したことを特徴とする。
【００１４】
本発明の第３の態様による光学部材切換装置は、光学機器の複数の光学部材を切り換えるための光学部材切換装置であって、複数の光学部材を装着する装着部を有する可動部材と、前記複数の光学部材を光学機器の光路に対して選択的に挿脱させるために前記可動部材を移動可能に支持する本体と、前記複数の光学部材の一つが前記光路に正しく位置するように前記可動部材を位置決めする位置決め機構と、前記複数の光学部材の種別を表示する種別表示部と、前記光路に挿入された前記複数の光学部材の一つの種別を指示するために、前記可動部材における前記光学部材の各装着部位に対応して当該装着部位の中心からの位置が互いに異なるように設けられた複数の指標と、を具備したことを特徴とする。
【００１５】
上記指標は、各光学部材の装着部位の中心からの位置が互いに異なるように設けられているため、切換操作をおこなうと種別表示部において指標が指示する位置は互いに異なる。したがって、それぞれの光学部材に対応する指標が指示する位置にその光学部材の名称などを表記もしくは表記された部材を配置しておくことにより、現在光路に挿入されている光学部材の種別が認識可能になる。また、種別表示部には常に装着されている全ての光学部材の種別が表示されているから、現在使用可能な光学部材を容易に認識することができる。
【００１６】
【発明の実施の形態】
（第１の実施の形態）
まず、本発明が利用させる顕微鏡の構成を図１に示す。顕微鏡本体０１には、接眼レンズを取り付けた鏡筒０２、標本を落射照明するための落射光源０８、複数のフィルタカセットが直動式の可動部材３１（後記する）に取付けられ顕微鏡の光軸１３に挿入可能な落射投光管０３、複数の対物レンズ０５を取付け顕微鏡光路への挿入が切換えられる回動式レボルバ０４、標本を支持し顕微鏡光路に対する標本の位置を移動可能なステージ０６、透過照明するための透過光源０９、透過光源の光を集光し標本を照明し、且つ対物レンズ０５の後側焦点位置と共役な位置に位相差観察で用いるリングスリット２４（後記する）の取り付け部位を持つコンデンサ０７が装着されている。
【００１７】
本発明の光学部材切換え装置を蛍光顕微鏡に用いる落射投光管０３に適応して説明する。図２は内部と表示部の関係を示す部分断面図である。図３は落射投光管の外観図である。落射投光管０３はフィルタカセット１９（１９ａ〜１９ｄ）の収納部３０とレンズを収納した投光管部１００から構成される。図４は図３におけるＸ断面図である。
【００１８】
収納部３０の上面と底面には、メスアリ１０１とオスアリ１０２が設けられており、二つのアリの中心軸は一致している。底面のオスアリ１０２で落射投光管０３が鏡体０１に取付けられる。上面のメスアリ１０１には鏡筒０２が取付けられる。鏡体０１に落射投光管０３を取付けた際、取付けアリの中心軸と顕微鏡の光軸１３は一致している。
【００１９】
投光管部１００の端部には、水銀ランプや、Ｘｅランプを収納した落射光源０８が取付けられる。投光管部１００は、落射光源０８からの光軸１６が顕微鏡の光軸１３と直角に交わる位置で、収納部３０の操作面３０ａの対面に取付けられる。
【００２０】
収納部３０の内部には、ガイド３８および可動部材３１が取付けられている。
ガイド３８により、可動部材３１は光軸１３と投光管部の光軸１６のそれぞれに直角な方向に移動可能に支持されている。可動部材３１の移動方向と直角な側面３１ｂには、可動部材３１の移動方向と平行な中心軸を持つ、操作ツマミ４３が取付けられている。操作ツマミ４３により、落射投光管０３の外側からフィルタカセット１９の切換え操作が可能である。可動部材３１はフィルタカセット１９のオスアリ２０１とはめ合うメスアリ２００を有しており、フタ４２を外し露出した可動部材３１にフィルタカセット１９が４個取付け可能である。
【００２１】
図４及び図１８を参照して、フィルタカセット１９の取付け構造についてさらに説明する。フィルタカセット１９のオスアリ２０１には、Ｖ溝２０１ａが設けられている。また可動部材３１のメスアリ２００には４個の穴２０２が設けられ、それぞれにバネ２０３、ボール２０４が挿入されている。
【００２２】
フィルタカセット１９のオスアリ２０１を可動部材３１のメスアリ２００に挿入すると、オスアリ２０１がボール２０４に押圧されてオスアリ２０１の傾斜面とメスアリ２００の傾斜面が当接し、フィルタカセット１９はガタなく保持される。またアリの挿入方向については、ボール２０４がＶ溝２０１ａに落ち込むことにより正しく位置決めされる。
【００２３】
このような構造により、可動部材３１に対して所望のフィルタカセット１９を所望の順序で取り付けることができる。また、観察作業の都合に合わせてフィルタカセットの交換や並べ替えも自由に行うことができる。
【００２４】
図５は図３のＹ断面である。
【００２５】
可動部材３１の壁面３１ａには、Ｖ字型の断面を持つＶ溝６２が、可動部材３１の移動方向と平行に４箇所設けられている。またＶ溝６２は、可動部材３１に取付けられた４つのフィルタカセット１９（１９ａ〜１９ｄ）それぞれの中心１０３に対応する位置に形成されている。
【００２６】
収納部３０の内側には未貫通の穴３５が設けられている。操作面３１ａより見た穴３５の位置は、光軸１３上で且つ可動部材３１の移動によりＶ溝６２が通過する範囲に位置する。穴３５には圧縮バネ３６と、ボール３７が入れられている。Ｖ溝６２、バネ３６、ボール３７によりクリック機構を構成している。
【００２７】
収納部の内壁３０ｂと可動部材の壁面３１ａは隣接し、常にボール３７が可動部材の壁面３１ａを押圧するように設計されている。可動部材３１の移動で、Ｖ溝６２の中心線が穴３５の中心に一致した位置ではバネ３６が最も伸びることが可能なため、可動部材３１の位置が安定する。つまりフィルタカセットの中心軸１０３が光軸１３と一致する４箇所で可動部材３１は位置決めされる。
【００２８】
以後各部の位置関係を説明するため、光軸１３に沿う方向を縦方向とし鏡体０１側を下側、鏡筒０２側を上側として説明する。また可動部材３１の移動方向を横方向とし、操作ツマミ４３側を右側として説明する。
【００２９】
図６は図３でのZ方向よりの部分断面図を示す。
【００３０】
操作面３０ａには、長方形の開口部３４が設けられている。開口部３４の上辺の中点は、横方向での位置は光軸１３上である。開口部３４の大きさは、縦方向では可動部材３１に記された２種類の指標部（位置指標部４０（４０ａ〜４０ｄ）、種別指標部４１（４１ａ〜４１ｄ））が露出する大きさ、横方向では種別表示部材２９（２９ａ〜２９ｄ）４個分の大きさである。
【００３１】
また操作面３０ａの開口部３４の上辺の中点の上には固定指標部３９が設けられている。種別表示部材２９とは、現在可動部材３１に取付けられているフィルタカセット１９の種別を表示するための部材であり、例えば狭帯域のＵ励起用フィルタカセット１９ａであればＮＵ、広帯域のＧ励起用フィルタカセット１９ｄであればＷＧと、フィルタカセット１９の励起帯域の略号が記されている。また開口部３４の下には種別表示部材２９を横方向に４つ並べた大きさの凹部３２が設けてある。凹部３２、種別表示部材２９の一方を磁石、一方を磁性部材で構成してあり、凹部３２への種別表示部材２９の取付けが容易に行える。本実施の形態の場合は、凹部３２の底部に磁石３２ａを埋め込み、種別表示部材２９を磁性部材で構成している。
【００３２】
凹部３２の左端には、可動部材３１上で右端のフィルタカセット１９ａの種別表示部材２９ａを取付ける。次に、可動部材３１の右から２番目のフィルタカセット１９ｂの種別表示部材２９ｂを、凹部３２の左から２番目に取り付ける。上記要領で全てのフィルタカセット１９に対応する種別表示部材２９を凹部３２に取り付ける。
【００３３】
可動部材３１上の２種類の位置指標部４０、種別指標部４１について説明する。位置指標部４０は、縦方向では開口部３４の内側上部で、横方向ではフィルタカセット１９の中心軸１０３上に４箇所位置する。
【００３４】
種別指標部４１は縦方向では、開口部３４の内側下部に位置する。横方向ではフィルタカセットの中心軸１０３から以下に示す距離Ｄｘだけ離れた位置である。その距離Ｄｘとは、種別表示部材２９の幅をＤｓ、フィルタカセット１９の横方法の幅をＤｆとし、それぞれのフィルタカセット１９の中心軸１０３から４つのフィルタカセットの中心軸１０４までの距離をＤｙ（ただしフィルタカセットの中心軸１０３を基準として右側を＋、左側を−とする）とした場合、
Ｄｘ＝（Ｄｙ／Ｄｆ）・Ｄｓ
となる。
【００３５】
たとえば、フィルタカセット１９の幅Ｄｆ＝１０、種別表示部材２９の幅Ｄｓ＝２、フィルタカセット１９ａと４つのフィルタカセットの中心１０４との距離Ｄｙ＝−１５とすると、
Ｄｘ＝（−１５／１０）・２  ＝  −３
となる。
【００３６】
上記式にフィルタカセットの中心と４つのフィルタカセット１９の中心の距離を代入し、フィルタカセットの中心１０４からの４個の種別指標部の位置が決定する。
【００３７】
＜作用＞
操作ツマミ４３を押し引きすることで、４つのフィルタカセット１９を光軸１３に位置決めできる。フィルタカセット１９を光軸１３に位置決めした際、開口部３４より、可動部材３１の位置指標部４０、種別指標部４１が見える。位置指標部４０は、固定指標部３９と位置が一致する。種別指標部４１は、いずれかの種別表示部材２９と位置が一致している。
【００３８】
例えば図６のように、右端のフィルタカセット１９ａが光軸１３に位置した場合は、種別指標部４１ａは左端の種別表示部材２９ａの上に位置する。つまり現状光軸１３に位置するフィルタカセット１９ａを認識することができる。例えば、ＮＵ１９ａからＷＧ１９ｄへ切換えたい場合は、種別指標部４１ａが位置する現在の種別表示部材２９ａと、目的とする種別表示部材２９ｃとの位置関係より、操作ツマミ４３でフィルタカセット１９を右に３つ送れば良いことが認識できる。
【００３９】
図６は切換え前の状態、図７は切換え後の状態を示す。また図８は切換え操作の途中であり、種別表示部材２９ｄ（ＷＧ）上に種別指標部４１ａが位置するが、位置指標部４０ｂが固定指標３９の位置と一致していないため、現在光軸１３にはフィルタカセット１９は位置決めされてなく、切換え操作の途中であることが認識できる。
【００４０】
＜効果＞
直動式の光学部材切換え装置において、装着されている全ての光学部材の種別の認識、現在光軸に位置する光学部材の種別の認識、光学部材の切換えの際目的とする光学部材への操作方向と操作量の認識が、一ヶ所の表示で全て可能なため、操作性が向上する。
【００４１】
また、高輝度の光源を用いる落射蛍光顕微鏡の投光管で、最少限の開口部により漏光を防ぎ、且つ構成要素が少ないため安価な光学部材切換え装置を提供できる。
【００４２】
（第２の実施の形態）
位相差顕微鏡に用いるリングスリット２４が装着可能な回動式コンデンサ０７に、本発明の光学部材切換え装置を適応し、説明する。図９はコンデンサ０７の外観図である。コンデンサ０７は底部５５のオスアリ１０５を奥側にして鏡体０１に固定される。鏡体０１に取付けた際、コンデンサ０７のオスアリの中心軸と顕微鏡の光軸１３とは一致している。
【００４３】
図１０はコンデンサの図９におけるＷ断面図であり、図１１は種別表示部材と指標の位置関係を説明する斜視図である。コンデンサ０７は取付けオスアリ１０５を有する底部５５、可動部材であるターレット部５２、レンズ２３を有する上部１０６の３つの要素から構成されている。
【００４４】
ターレット部５２は、上部１０６と共に回転軸５０にて底部５５に取付けられる。ターレット部５２は半径Ｒの円周上に４つのリングスリット２４の外径とはめあう段差６３を持つ薄い円柱状で、回転軸５０を軸にして回転が可能である。上部１０６は回転軸５０及び底部５５に固定され、回転はしない。回転軸５０は光軸１３と平行な軸を持ち、光軸１３と回転軸５０の距離はＲである。底部５５の内側底面５５ｂには、光軸１３と回転軸５０を結ぶ直線上に穴４９が未貫通に設けられており、穴４９にはバネ５７とボール５６が挿入されている。
【００４５】
ターレット部の底面５２ａには、４つの段差部６３の中心と回転軸５０を結ぶ直線上にＶ型の断面を持つＶ溝６４が４つ設けられている。底部の内側底面５５ｂとターレット部の底面５２ａが隣接されているため、ボール５６は常にターレット部の底面５２ａを押圧している。ターレット部５２の回転で、Ｖ溝６４の頂点が底部５５の穴４９の中心に一致した位置ではバネ５７が最も伸びることが可能なため、ターレット部５２の位置が安定する。つまり、このクリック機構により、リングスリット２４の中心軸が光軸１３と一致する４箇所で位置決めされることになる。リングスリット２４は、レンズ２３により対物レンズ２１の後ろ側焦点面に投影される。
【００４６】
以後、ターレットの操作面５５ａより見た各部の位置関係を説明する際、操作面５５ａより見て光軸１３方向の位置を縦方向での位置として説明する。
【００４７】
底部５５の操作面５５ａには、種別表示部材５３（５３ａ〜５３ｄ）を４個横に並べて取付け可能な凹部５４が設けられている。種別表示部材５３には、対物レンズ２０により使い分けるリングスリット２４の種別、ＰＨ１０、ＰＨ２０といった略号が明記されている。凹部５４、種別表示部材５３の一方を磁石、一方を磁性部材で構成したため、種別表示部材５３は凹部５４に装脱着が可能である。本実施の形態では、凹部５４の底部に磁石５４ａを埋め込み、種別表示部材５３を磁性部材で構成している。
【００４８】
上部１０６の操作面１０６ａには固定指標部５９が記されている。また、ターレット部５２の側面にはそれぞれ四つの位置指標部６０（６０ａ〜６０ｄ）、種別指標部６１（６１ａ〜６１ｄ）が記されている。
【００４９】
位置指標部６０は、ターレットの上面より見て、ターレット外周面とターレットの回転軸及びリングスリット２４の中心軸を含む平面との交線上の上部の４箇所にある。
【００５０】
種別指標部６１の位置について説明する。まず、ターレット部５２が上面から見て左右対称になるような基準線１０７を設ける。上面より見て時計方向を＋、反時計方向を−とする。リングスリット２４（２４ａ〜２４ｄ）の中心から基準線１０７までの角度をαとし、リングスリット２４間の角度をβとし、種別表示部材５３間の角度をγとする。また、光軸１３と表示部５５ａの角度が１８０°のため、リングスリット２４の中心から種別表示部５３への角度θは、
θ＝１８０°＋α・γ／β
となる。
【００５１】
たとえば、図１１の場合、α＝−１３５°、β＝９０°、γ＝１０°のため、
θ＝１８０°＋（−１３５）・１０／９０＝１６５°
となる。
【００５２】
＜作用＞
ターレット５２を回転して、Ｖ溝６４がボール５６と一致すると、ターレット５２の位置決めがされる。その際、ターレット側面上部の位置決め指標６０と上部の固定指標５９の位置が一致しているため目視で認識できる。現在位置決めされているリングスリット２４の種別は、種別表示部材５３の上に位置するターレット５２側面の種別指標部６１で認識できる。
【００５３】
次に、観察方法を切換えるため、目的とするリングスリット２４に変更する際、現在種別指標部６１が位置する種別表示部材５３の位置と、切換え目的先のリングスリット２４の種別表示部材５３との位置関係より、回転方向と回転量が認識できる。回転途中で、種別表示部材５３が目的とするリングスリット２４の種別表示部材５３の上に位置するが、位置決め指標部６０が固定指標部５９と一致していないため、リングスリット２４が位置決めされた状態ではなく、切換え途中であることが認識できる。図１３は、図１１に示す「ＰＨ４０」が選択された状態から「ＰＨ２０」へ切り替える場合の切換途中の状態を示し、図１２は切換が完了した状態を示す。
【００５４】
＜効果＞
回動式の光学部材切換え装置において、装着されている全ての光学部材の種別の認識、現在光軸に位置する光学部材の種別の認識、光学部材の切換えの際目的とする光学部材への操作方向と操作量の認識が、一ヶ所の表示で全て可能なため、操作性が向上する。
【００５５】
また回転式のため、最短移動方向を認識できる。さらに、構成要素が少ないため、確実で安価な光学部材切換え装置を提供できる。
【００５６】
（変形例）
図１４のように、種別表示部材５３を一列に並べて構成しなくても、回転方向と表示部の対応が可能であれば同様の効果が得られる。
【００５７】
図１５は、種別表示部材２９の変形例を示す。種別表示部材２９にフィルタカセット１９の略号だけでなく、光学特性値を記載した例である。
【００５８】
１行目の“U-MWU”はフィルターカセットの名称を表わす。これは、DNA（核酸のA-T領域）を標識するためのDAPI蛍光色素等に用いられるものである。このDAPI蛍光色素の励起波長は３７２ｎｍ、蛍光波長のピークは４５６ｎｍである。２行目以降は、それぞれ順にフィルタカセット内の励起フィルター、吸収フィルター、ダイクロイックミラーの特性を波長で示している。
【００５９】
上記特性を明記することで、蛍光色素の特性が既知の場合、どのフィルターカセットを用いれば良いかが一目でわかるので、より使いやすくなる。
【００６０】
図１６（ａ），（ｂ）は、操作面３０ａの種別表示部分の変形例を示す。種別表示部材２９を大型にする場合は、このように、指標が指示する位置と対応する種別表示部材とを関連付けるマーキングとしての引き出し線２０５を設ければよい。種別表示部材２９の文字を大きくしたり、光学特性値を記載する場合のように文字数が多くなる場合でも、引き出し線を用いることで対応可能である。操作面３０aには、種別表示部材２９より一回り大きな凹部２１１が４個形成されている。この凹部の上側には穴２０９が設けられ、底部の中央にはマグネット２１０が埋め込まれている。種別表示部材２９は磁性材料で作られているので、凹部２１１に落とし込むことでマグネットに吸着され、取り付けられる。取り外す際は、穴２０９にペン先などの尖った部材を差し込んで引っかけることにより、容易に取り外すことができる。
【００６１】
なお、この場合、先に第１の実施の形態で説明した式
Ｄｘ＝（Ｄｙ／Ｄｆ）・Ｄｓ
におけるＤｓは、図１６のように引き出し線２０５の引き出し部の間隔（ピッチ）にすればよい。
【００６２】
図１７（ａ），（ｂ）は、操作面３０ａの種別表示部分の別の変形例を示す。
指標３９、４０、４１として図示のようなものを使用して、より見やすく工夫することができる。
【００６３】
図１８は、フィルタカセット１９に種別表示部材２９の収納部を設けた変形例を示す。フィルタカセット１９の上部には、このフィルタカセットに対応する種別表示部材２９を収納するための凹部２０７が設けられている。凹部２０７の底部には、磁石２０７ａが埋め込まれている。フィルタカセット１９を可動部材３１から取り外したときには、種別表示部材２９をこの凹部２０７にはめ込んで収納することにより、種別表示部材２９の紛失を防ぐことができる。
【００６４】
なお、本発明は可動部材に対して光学部材が固着された（着脱不能な）装置に対しても適用可能である。また、この場合、種別表示部材も本体と別体である必要はなく、本体に直接種別を表示する略号などを記載するようにしてもよい。
【００６５】
本発明の光学部材切換装置は、以下のような構成をなしている。
【００６６】
（１）複数の光学部材を識別するための当該複数の光学部材に対応した複数の種別表示部材を用いた顕微鏡の光学部材切換装置であって、
前記複数の光学部材を装着する装着部を有する可動部材と、
前記顕微鏡の光路に対し前記複数の光学部材を選択的に挿脱するために前記可動部材を直線移動可能に支持する本体と、
前記光学部材が前記顕微鏡の光路に正しく位置するように前記可動部材を位置決めする位置決め機構と、
前記複数の種別表示部材を、前記可動部材の直線移動方向に沿って互いに近接して取り付けるために前記本体に設けられた表示部材取付部と、
前記可動部材のそれぞれの装着部に対応して配置されて、顕微鏡の光路に挿入された前記光学部材に対応する前記種別表示部材を指示するための複数の指標と、
を具備したことを特徴とする光学部材切換装置。
【００６７】
（２）前記複数の指標は、対応するそれぞれの光学部材装着部位の中心に対する位置が、前記表示部材取付部における種別表示部材の間隔分だけ互いにずれていることを特徴とする上記（１）に記載の光学部材切換装置。
【００６８】
（３）前記種別表示部材の幅をDs、前記光学部材の幅をDf、前記可動部材の中心(104)と対応する各光学部材装着部の中心(103)との距離をDy、指標から対応する各光学部材の中心までの距離をDxとしたとき、Dx=(Dy/Df)*Ds  となる位置に指標が設けられていることを特徴とする上記（２）に記載の光学部材切換装置。
【００６９】
（４）前記複数の指標は、対応するそれぞれの光学部材装着部位の中心に対する位置が、前記表示部材取付部における種別表示部材の間隔分だけ互いにずれていて、それぞれの指標が指示する位置と対応する種別表示部材とを関連付けるマーキング(205)を更に有することを特徴とする上記（１）に記載の光学部材切換装置。
【００７０】
（５）前記本体に設けられた固定側指標(39)と、前記クリック機構により前記可動部材が位置決めされたときに前記固定側指標と合致するように、前記可動部材に設けられた移動側指標(40)とを更に有することを特徴とする上記（１）に記載の光学部材切換装置。
【００７１】
（６）前記種別表示部材は、光学部材の名称が記載されたネームプレートであることを特徴とする上記（１）に記載の光学部材切換装置。
【００７２】
（７）前記種別表示部材を前記表示部材取付部に対して取り付ける磁気吸着手段(32a，207a)を更に有することを特徴とする上記（１）に記載の光学部材切換装置。
【００７３】
（８）前記光学部材は、励起フィルタ(17)、ダイクロイックミラー(12)、吸収フィルタ(11)を備えたフィルタカセットであることを特徴とする上記（１）に記載の光学部材切換装置。
【００７４】
（９）前記位置決め機構は、それぞれが複数の光学部材の一つに対応するように前記可動部材の表面に設けられた複数の溝と、この溝に対向して前記溝に配置されたボールと、このボールが溝に係合したときにその溝に対応する光学部材が前記顕微鏡の光軸に合うようにボールを溝に向けて付勢するバネと、を備えるクリック機構であることを特徴とする上記（１）に記載の光学部材切換装置。
【００７５】
（１０）複数の光学部材を識別するための当該複数の光学部材に対応した複数の種別表示部材を用いた顕微鏡の光学部材切換装置であって、
前記複数の光学部材を装着する装着部を有する可動部材と、
前記顕微鏡の光路に対し前記複数の光学部材を選択的に挿脱するために前記可動部材を回転可能に支持する本体と、
前記光学部材が前記顕微鏡の光路に正しく位置するように前記可動部材を位置決めする位置決め機構と、
前記複数の種別表示部材を、前記可動部材の回転方向に沿って互いに近接して取り付けるために前記本体に設けられた表示部材取付部と、
前記可動部材のそれぞれの装着部に対応して配置されて、顕微鏡の光路に挿入された前記光学部材に対応する前記種別表示部材を指示するための複数の指標と、
を具備したことを特徴とする光学部材切換装置。
【００７６】
（１１）前記複数の指標は、対応するそれぞれの光学部材装着部位の中心に対する位置が、前記表示部材取付部における種別表示部材の角度分だけ互いにずれていることを特徴とする上記（１０）に記載の光学部材切換装置。
【００７７】
（１２）前記複数の指標は、対応するそれぞれの光学部材装着部位の中心に対する位置が、前記表示部材取付部における種別表示部材の間隔分だけ互いにずれていて、それぞれの指標が指示する位置と対応する種別表示部材とを関連付けるマーキングを更に有することを特徴とする上記（１０）に記載の光学部材切換装置。
【００７８】
（１３）前記本体に設けられた固定側指標(59)と、前記クリック機構により前記可動部材が位置決めされたときに前記固定側指標と合致するように、前記可動部材に設けられた移動側指標(60)とを更に有することを特徴とする上記（１０）に記載の光学部材切換装置。
【００７９】
（１４）前記種別表示部材は、光学部材の名称が記載されたネームプレートであることを特徴とする上記（１０）に記載の光学部材切換装置。
【００８０】
（１５）前記種別表示部材を前記表示部材取付部に対して取り付ける磁気吸着手段(54a)を更に有することを特徴とする上記（１０）に記載の光学部材切換装置。
【００８１】
（１６）前記光学部材は、リングスリット(24a~24d)であることを特徴とする上記（１０）に記載の光学部材切換装置。
【００８２】
（１７）前記位置決め機構は、それぞれが複数の光学部材の一つに対応するように前記可動部材の表面に設けられた複数の溝と、この溝に対向して前記溝に配置されたボールと、このボールが溝に係合したときにその溝に対応する光学部材が前記顕微鏡の光軸に合うようにボールを溝に向けて付勢するバネと、を備えるクリック機構であることを特徴とする上記（１０）に記載の光学部材切換装置。
【００８３】
（１８）光学機器の複数の光学部材を切り換えるための光学部材切換装置であって、
複数の光学部材を装着する装着部を有する可動部材と、
前記複数の光学部材を光学機器の光路に対して選択的に挿脱させるために前記可動部材を移動可能に支持する本体と、
前記複数の光学部材の一つが前記光路に正しく位置するように前記可動部材を位置決めする位置決め機構と、
前記複数の光学部材の種別を表示する種別表示部と、
前記光路に挿入された前記複数の光学部材の一つの種別を指示するために、前記可動部材における前記光学部材の各装着部位に対応して当該装着部位の中心からの位置が互いに異なるように設けられた複数の指標と、
を具備したことを特徴とする光学部材切換装置。
【００８４】
なお、本発明は上記各実施の形態のみに限定されず、要旨を変更しない範囲で適時変形して実施できる。
【００８５】
【発明の効果】
本発明の光学部材切換装置によれば、簡単な構成で、現在装着されている光学部材の種別と、現在光路に位置決めされている光学部材の種別と、且つ、切換え操作の際の切換え先の光学部材への操作方向及び光学部材を移動する数が、１箇所の表示で容易に直接的に認識でき、容易に切換え操作を行える。
【図面の簡単な説明】
【図１】本発明が適用される顕微鏡の全体構成を示す側面図。
【図２】本発明の第１実施例を透視的にあらわした斜視図。
【図３】本発明の第１実施例と落射投光管部の外観斜視図。
【図４】図３におけるＸ方向から見た断面図。
【図５】図３におけるＹ方向から見た断面図。
【図６】図３におけるＺ方向から見た断面図。
【図７】光学部材"WG"への切換が完了した状態を示す図。
【図８】光学部材の切換途中の状態を示す図。
【図９】本発明の第２実施例を示す外観図。
【図１０】図９におけるＷ方向から見た断面図。
【図１１】第２実施例の種別表示部材と指標の位置関係を説明する斜視図。
【図１２】光学部材"PH20"への切換が完了した状態を示す図。
【図１３】光学部材の切換途中の状態を示す図。
【図１４】第２実施例の変形例を示す斜視図。
【図１５】種別表示部材の変形例を示す図。
【図１６】種別表示部分の変形例を示す図。
【図１７】指標の変形例を示す図。
【図１８】光学部材の変形例を示す図。
【図１９】蛍光顕微鏡の光学的構成を説明する概念図。
【図２０】位相差顕微鏡の光学的構成を説明する概念図。
【図２１】従来の光学部材切換装置の構成図。
【図２２】従来の別の光学部材切換装置の構成図。
【符号の説明】
０１…顕微鏡本体
０２…鏡筒
０３…落射投光管
０４…回動式レボルバ
０５…対物レンズ
０６…ステージ
０７…コンデンサ
０８…落射光源
０９…透過光源
１０…一次像面
１１…バリアフィルター
１２…ダイクロイックミラー
１３…顕微鏡光路
１４…対物レンズ
１５…標本
１６…光路
１７…励起フィルター
１８…光源
１９…フィルターカセット
２０…位相リング
２１…対物レンズ
２２…標本
２３…コンデンサレンズ
２４…リングスリット
２５…１次像面
２６…蛍光装置本体
２７…開口
２８…表示部
２９…種別表示部材
３０…収納部
３１…可動部材
３２…凹部
３４…開口部
３５…穴
３６…圧縮バネ
３７…ボール
３８…ガイド
３９…固定指標部
４０…位置指標部
４１…種別指標部
４２…フタ
４３…操作ツマミ
５０…回転軸
５２…ターレット部
５３…種別表示部材ボール
５４…凹部
５５…底部
５６…ボール
５７…バネ
５９…固定指標部
６０…位置指標部
６１…種別指標部
６２…Ｖ溝
６３…段差
６４…Ｖ溝
１００…投光管部
１０１…メスアリ
１０２…オスアリ
１０３…中心軸
１０４…中心軸
１０５…オスアリ
１０６…上部
１０７…基準線
２００…メスアリ
２０１…オスアリ
２０２…穴
２０３…バネ
２０４…ボール
２０５…引き出し線
２０７…凹部
２０９…穴
２１０…マグネット
２１１…凹部
【図１】
0004632477.tif 000002
【図２】
0004632477.tif 000003
【図３】
0004632477.tif 000004
【図４】
0004632477.tif 000005
【図５】
0004632477.tif 000006
【図６】
0004632477.tif 000007
【図７】
0004632477.tif 000008
【図８】
0004632477.tif 000009
【図９】
0004632477.tif 000010
【図１０】
0004632477.tif 000011
【図１１】
0004632477.tif 000012
【図１２】
0004632477.tif 000013
【図１３】
0004632477.tif 000014
【図１４】
0004632477.tif 000015
【図１５】
0004632477.tif 000016
【図１６】
0004632477.tif 000017
【図１７】
0004632477.tif 000018
【図１８】
0004632477.tif 000019
【図１９】
0004632477.tif 000020
【図２０】
0004632477.tif 000021
【図２１】
0004632477.tif 000022
【図２２】
0004632477.tif 000023